(57)【要約】【課題】  従来の均一なフィルム上ではない、視覚的に変化のある被覆を形成可能な化粧品組成物を提供する。【解決手段】  生理学的に許容される媒質中に、共溶媒（Sc）中に溶解されたｎ種のポリマー（P1、P2、…Pn）（10≧n≧2）を含む化粧品組成物であって、前記ポリマー（P1、P2、…Pn）及び共溶媒（Sc）は、室温及び環境圧にて液体であり、また前記化粧品組成物をヒトのケラチン物質基体に適用し、その後に共溶媒（Sc）を除去した後に、それぞれがP1、P2、…Pnから選択される単一のポリマーからなる別個の領域を形成するように選択される、化粧品組成物を調製する。【選択図】  なし【特許請求の範囲】
【請求項１】
生理学的に許容される媒質中に、共溶媒（Sc）中に溶解されたｎ種のポリマー（P1、P2、…Pn）（10≧n≧2）を含む化粧品組成物であって、
前記ポリマー（P1、P2、…Pn）及び共溶媒（Sc）は、室温及び環境圧にて液体であり、また前記化粧品組成物をヒトのケラチン物質基体に適用し、その後に共溶媒（Sc）を除去した後に、それぞれがP1、P2、…Pnから選択される単一のポリマーからなる別個の領域を形成するように選択される、化粧品組成物。
【請求項２】
前記のヒトのケラチン物質基体が髪であることを特徴とする、請求項１に記載の組成物。
【請求項３】
ｎが５以下であることを特徴とする。請求項１または２に記載の組成物。
【請求項４】
前記共溶媒（Sc）が、水、C2-C6アルコール、C2-C6アルカンジオール、ベンジルアルコール、C2-C6エーテル、C2-C6エステル、N-(C1-C4）アルキルピロリドン、及びC2-C6ケトン、更にまたこれら溶媒の混合物から選択されることを特徴とする、請求項１乃至３のいずれか一項に記載の組成物。
【請求項５】
前記ポリマー（P1、P2、…Pn）のそれぞれが、１kDa乃至１０００kDaの範囲の数平均分子量を有することを特徴とする、請求項１乃至４のいずれか一項に記載の組成物。
【請求項６】
前記ポリマー（P1、P2、…Pn）のそれぞれが、０℃以上のガラス転移温度（Tg）を有することを特徴とする、請求項１乃至５のいずれか一項に記載の組成物。
【請求項７】
前記ポリマー（P1、P2、…Pn）が、ポリスチレン、ポリスチレンスルホン酸、C1-C10ポリアルキルメタクリレート、C1-C10ポリアルキルアクリレート、C1-C10アルキルアミン、ポリアルキレンアミン、ポリビニルアミン、ポリビニルピリジン、ポリリシン、C1-C10ヒドロキシアルキルセルロース、C1-C10ヒドロキシアルキルグアー、C1-C10ヒドロキシアルキルトリアンモニウムグアークロライド、C1-C10トリメチルアンモニウムヒドロキシアルキルセルロース、C1-C10ポリアルキレンオキサイド、ポリサッカライド、ポリアクリル酸、ポリアクリルアミド、ポリ（メタ）アクリルアミド、ポリビニルアルコール、ポリビニルアセテート、ポリビニルピロリドン、C1-C10ポリアルキレンイミン、C1-C10ポリアクリルアミドアルキルスルホン酸類、ポリウレタン、ポリエステル、及びポリリン酸から選択されることを特徴とする、請求項１乃至６のいずれか一項に記載の組成物。
【請求項８】
前記化粧品組成物中の各ポリマー（P1、P2、…Pn）の相対重量が、0.01乃至50%、好ましくは0.1乃至25%、更に好ましくは0.2乃至10%の範囲であることを特徴とする、請求項１乃至７のいずれか一項に記載の組成物。
【請求項９】
ｎ種の（P1、P2、…Pn）を含み、前記化粧品組成物の全重量に対する該ポリマーそれぞれの重量比が0.01乃至100、好ましくは0.02乃至50、更に好ましくは0.05乃至20であることを特徴とする、請求項１乃至８のいずれか一項に記載の組成物。
【請求項１０】
二種のポリマー（P1、P2）を含み、該二種のポリマー間の重量比が0.01乃至100、好ましくは0.02乃至50、更に好ましくは0.05乃至20であることを特徴とする、請求項１乃至９のいずれか一項に記載の組成物。
【請求項１１】
前記ポリマー（P1、P2、…Pn）が、ポリスチレン／C1-C10ポリアルキルメタクリレート、C1-C10トリメチルアンモニウムヒドロキシアルキルセルロース／C1-C10ポリアルキレンイミン、及びC1-C10ヒドロキシアルキルセルロース／C1-C10トリメチルアンモニウムヒドロキシアルキルセルロースの対を含むことを特徴とする、請求項７に記載の組成物。
【請求項１２】
（i）生理学的に許容される媒質中に、共溶媒（Sc）中に溶解されたｎ種のポリマー（P1、P2、…Pn）（10≧n≧2）を含む化粧品組成物であって、前記ポリマー（P1、P2、…Pn）及び共溶媒（Sc）は、室温及び環境圧にて液体であり、また該化粧品組成物をヒトのケラチン物質基体に適用し、その後に共溶媒（Sc）を除去した後に、それぞれがP1、P2、…Pnから選択される単一のポリマーからなる別個の領域を形成するように選択される第一化粧品組成物、及び
（ii）ヒトのケラチン物質基体に適用されたポリマー（P1、P2、…Pn）のn-1種までを溶解可能であり、前記基体は溶解不可能である、少なくとも１つの選択的溶媒（Ss）を含む第二化粧品組成物、
を含むキット。
【請求項１３】
更に（iii）少なくとも１つのポリマー(Pth)を含む第三化粧品組成物を含む、請求項１２に記載のキット。
【請求項１４】
ヒトのケラチン物質基体のリシェイプ、染色、メイクアップ、メイクアップ除去、保護、クレンジング、または洗浄のための付加的組成物を更に含む、請求項１２または１３に記載のキット。
【請求項１５】
前記共溶媒（Sc）が、水、C2-C6アルコール、C2-C6アルカンジオール、ベンジルアルコール、C2-C6エーテル、C2-C6エステル、N-(C1-C4）アルキルピロリドン、及びC2-C6ケトン、更にまたこれら溶媒の混合物から選択されることを特徴とする、請求項１２乃至１４のいずれか一項に記載のキット。
【請求項１６】
前記ポリマー（P1、P2、…Pn）のそれぞれが、１kDa乃至１０００kDaの範囲の数平均分子量を有することを特徴とする、請求項１２乃至１５のいずれか一項に記載のキット。
【請求項１７】
前記ポリマー（P1、P2、…Pn）が、ポリスチレン、ポリスチレンスルホン酸、C1-C10ポリアルキルメタクリレート、C1-C10ポリアルキルアクリレート、C1-C10アルキルアミン、ポリアルキレンアミン、ポリビニルアミン、ポリビニルピリジン、ポリリシン、C1-C10ヒドロキシアルキルセルロース、C1-C10ヒドロキシアルキルグアー、C1-C10ヒドロキシアルキルトリアンモニウムグアークロライド、C1-C10トリメチルアンモニウムヒドロキシアルキルセルロース、C1-C10ポリアルキレンオキサイド、ポリサッカライド、ポリアクリル酸、ポリアクリルアミド、ポリ（メタ）アクリルアミド、ポリビニルアルコール、ポリビニルアセテート、ポリビニルピロリドン、C1-C10ポリアルキレンイミン、C1-C10ポリアクリルアミドアルキルスルホン酸類、ポリウレタン、ポリエステル、及びポリリン酸から選択されることを特徴とする、請求項１２乃至１６のいずれか一項に記載のキット。
【請求項１８】
前記化粧品組成物（i）中の各ポリマー（P1、P2、…Pn）の相対重量が、0.01乃至50%、好ましくは0.1乃至25%、更に好ましくは0.2乃至10%の範囲であることを特徴とする、請求項１２乃至１７のいずれか一項に記載のキット。
【請求項１９】
前記化粧品組成物（i）が、ｎ種の（P1、P2、…Pn）を含み、前記化粧品組成物の全重量に対する該ポリマーそれぞれの重量比が0.01乃至100、好ましくは0.02乃至50、更に好ましくは0.05乃至20であることを特徴とする、請求項１２乃至１８のいずれか一項に記載のキット。
【請求項２０】
前記ポリマー（P1、P2、…Pn）が、ポリスチレン／C1-C10ポリアルキルメタクリレート、C1-C10トリメチルアンモニウムヒドロキシアルキルセルロース／C1-C10ポリアルキレンイミン、及びC1-C10ヒドロキシアルキルセルロース／C1-C10トリメチルアンモニウムヒドロキシアルキルセルロースの対を含むことを特徴とする、請求項１７に記載の組成物。
【請求項２１】
中空のレリーフまたは隆起物を含む少なくとも１つの生理学的に許容されるポリマーマトリックスで被覆され、各マトリックスが単一のポリマーから成る、ヒトのケラチン物質基体またはヒトのケラチン物質代替物。
【請求項２２】
前記マトリックス及びレリーフが、それぞれ個別に、ポリスチレン、ポリスチレンスルホン酸、C1-C10ポリアルキルメタクリレート、C1-C10ポリアルキルアクリレート、C1-C10アルキルアミン、ポリアルキレンアミン、ポリビニルアミン、ポリビニルピリジン、ポリリシン、C1-C10ヒドロキシアルキルセルロース、C1-C10ヒドロキシアルキルグアー、C1-C10ヒドロキシアルキルトリアンモニウムグアークロライド、C1-C10トリメチルアンモニウムヒドロキシアルキルセルロース、C1-C10ポリアルキレンオキサイド、ポリサッカライド、ポリアクリル酸、ポリアクリルアミド、ポリ（メタ）アクリルアミド、ポリビニルアルコール、ポリビニルアセテート、ポリビニルピロリドン、C1-C10ポリアルキレンイミン、C1-C10ポリアクリルアミドアルキルスルホン酸、ポリウレタン、ポリエステル、及びポリリン酸から選択される少なくとも１つのポリマーを含むことを特徴とする、請求項２１に記載の基体。
【請求項２３】
爪、睫、髪、またはその代替物であることを特徴とする、請求項２１または２２に記載の基体。
【請求項２４】
付け爪、かつら、付け毛、または付け睫であることを特徴とする、請求項２３に記載の基体。
【請求項２５】
前記レリーフが、ランダムに分布したまたは整列したパターンを含む、請求項２１乃至２４のいずれか一項に記載の基体。
【請求項２６】
前記パターンが、筋状、柱状、または溝状であることを特徴とする、請求項２５に記載の基体。
【請求項２７】
ポリスチレン／C1-C10ポリアルキルメタクリレート、C1-C10トリメチルアンモニウムヒドロキシアルキルセルロース／C1-C10ポリアルキレンイミン、及びC1-C10ヒドロキシアルキルセルロース／C1-C10トリメチルアンモニウムヒドロキシアルキルセルロースの組合せから選択される、ポリマーP1とP2との対を含む組成物。
【請求項２８】
生理学的に許容される媒質中に共溶媒（Sc）中に溶解されたｎ種のポリマー（P1、P2、…Pn）（n≧2）を含む化粧品組成物を、ヒトのケラチン物質基体に適用し、その後共溶媒（Sc）を除去した後に、それぞれP1、P2、…Pnから選択される単一のポリマーからなる別個の領域を形成するための、前記化粧品組成物の使用。
【請求項２９】
ヒトのケラチン物質、特に髪への、
（ａ）生理学的に許容される媒質中に、共溶媒（Sc）中に溶解されたｎ種のポリマー（P1、P2、…Pn）（10≧n≧2）を含む化粧品組成物であって、前記ポリマー（P1、P2、…Pn）及び共溶媒（Sc）は、室温及び環境圧にて液体であり、また該化粧品組成物をヒトのケラチン物質基体に適用し、その後に共溶媒（Sc）を除去した後に、それぞれがP1、P2、…Pnから選択される単一のポリマーからなる別個の領域を形成するように選択される、第一化粧品組成物（i）の適用、
（ｂ）ヒトのケラチン物質基体に適用されたポリマー（P1、P2、…Pn）のn-1種までを溶解可能であり、前記基体は溶解不可能である、少なくとも１つの選択的溶媒（Ss）を含む、第二化粧品組成物（ii）の適用、
（ｃ）少なくとも１つのポリマー(Pth)を含む第三化粧品組成物（iii）の、（ａ）または（ｂ）または（ｄ）の前または後の任意の適用、
（ｄ）ヒトのケラチン物質基体のリシェイプ、染色、メイクアップ、メイクアップ除去、保護、クレンジング、または洗浄のための付加的化粧品組成物の、（ａ）または（ｂ）の前または後の任意の適用、
を含み、
前記（ａ）、（ｂ）、（ｃ）、または（ｄ）の各工程の後に、任意に濯ぎを行う、美容方法。
【発明の詳細な説明】
【技術分野】
【０００１】
本発明は、中空のレリーフまたは隆起物を含むポリマーマトリックスを形成可能な化粧品組成物に関するものである。本発明はまた、こうした組成物を含むキット、この組成物で被覆された基体、並びにこの組成物の適用を含む美容方法にも関する。
【０００２】
「ケラチン物質」なる語は、皮膚、爪、及びケラチン繊維を含む。「ケラチン繊維」なる語は、髪、睫、眉毛、口ひげ、体毛、及び、特に頭髪を意味する。本発明は、とりわけケラチン繊維に関する。
【背景技術】
【０００３】
「ケラチン物質代替物」なる語は、ヒトのケラチン物質用の代替付属品（支持体）として作用する、天然または合成の物質製のメイクアップまたはケア用付属品を意味する。これら付属品の中で、付け爪、付け睫、ヘアピース、付け毛、または鬘、あるいはまた皮膚または唇に付着するトローチまたはパッチ（例えば付け黒子）を挙げることができる。
【０００４】
ファッションが変遷するにつれ、常に多くを要求する消費者は、新規且つ特有の美容効果、とりわけメイクアップ効果を付与する、皮膚または髪用の化粧品を求めている。とりわけ、市販の製品を用いて現在得られる、連続し、且つ均一なフィルムのものとは異なるメイクアップ効果を、その、ヒトの皮膚またはケラチン繊維等の支持体への適用によって生じる化粧品が求められている。
【０００５】
更に、こうした美容効果、とりわけ、新規なレリーフを形成してケラチン物質、とりわけケラチン繊維にかさ及びハリを与える、メイクアップ効果が求められている。更に、前記レリーフは、とりわけ摩擦及び衝撃に関して、メイクアップした支持体への優れた付着及び優れた定着を示さねばならない。
【０００６】
髪表面に、優れた化粧品特性を更に付与する、構成化レリーフを形成することが求められている。前記レリーフは、粗い効果を与えて、スタイリングを可能にするか、テクスチュアもしくは新規な感触、色、輝き、もしくは抗反射光沢などの視覚効果、または迅速な乾燥を生じる撥水効果を与えうる。
【０００７】
ある種の応用のためには、所望のコーティングは、例えば適用する支持体上に花崗岩質または「ちりめん」効果を与えて良い。美的に魅力的な効果、及び／または欠陥、例えば皺、小じわ、黒子、赤斑、または赤痣を偽装することのできる効果を、こうしてケラチン物質基体または代替物表面に作り出すことができる。特に、コントラスト効果を生じて、欠点を隠すことまたは欠陥から注意を逸らすこと、あるいはまた表面状態を修正することができる。
【０００８】
視覚的に変化のある、付け黒子としても作用しうるイメージを作り出す被覆を形成することもまた求められている。任意に化学的に許容される媒質中に可溶な染料または特定の顔料を必ずしも使用する必要なく、すなわち染料または顔料を含む新規組成物の開発に際に遭遇する、適合性、毒性、及び制約の問題を呈することなく、干渉現象のみによって色を作り出すこともまた求められている。従って、使用される被覆は、顔料または染料を含まずに輝きまたは色の生成を伴う。
【０００９】
別の応用のためには、ミクロレリーフが回折ネットワークを構成することが求められる。所定の場合には、視覚的に変化のあるイメージが、ゴニオクロマチック効果またはホログラフ効果を生み出すことが求められている。
【００１０】
更に別の場合には、ヒトのケラチン物質または代替物の加湿または脱湿特性における変化、あるいはその表面でのケアまたはメイクアップ製品の維持力を変更する変化が求められている。
【発明の開示】
【発明が解決しようとする課題】
【００１１】
本発明により提起される課題は、上述の様々な要求を、従来技術によるよりもいっそう十分に満たす化粧品組成物を提供するということである。
【課題を解決するための手段】
【００１２】
この問題を解決するために、本発明は、生理学的に許容される媒質中に、共溶媒（Sc）中に溶解されたｎ種のポリマー（P1、P2、…Pn）（10≧n≧2）を含む化粧品組成物であって、
前記ポリマー（P1、P2、…Pn）及び共溶媒（Sc）は、室温及び環境圧にて液体であり、また前記化粧品組成物をヒトのケラチン物質基体に適用し、その後に共溶媒（Sc）を除去した後に、それぞれがP1、P2、…Pnから選択される単一のポリマーからなる別個の領域を形成するように選択される、化粧品組成物を提案する。
【００１３】
本発明の別の主題は、（i）生理学的に許容される媒質中に、共溶媒（Sc）中に溶解されたｎ種のポリマー（P1、P2、…Pn）（10≧n≧2）を含む化粧品組成物であって、前記ポリマー（P1、P2、…Pn）及び共溶媒（Sc）は、室温及び環境圧にて液体であり、また該化粧品組成物をヒトのケラチン物質基体に適用し、その後に共溶媒（Sc）を除去した後に、それぞれがP1、P2、…Pnから選択される単一のポリマーからなる別個の領域を形成するように選択される第一化粧品組成物、及び（ii）ヒトのケラチン物質基体に適用されたポリマー（P1、P2、…Pn）のn-1種までを溶解可能であり、前記基体は溶解不可能である、少なくとも１つの選択的溶媒（Ss）を含む第二化粧品組成物を含むキットにかかる。
【００１４】
本発明の更に別の主題は、中空のレリーフまたは隆起物を含む少なくとも１つの生理学的に許容されるポリマーマトリックス（各マトリックスは単独のポリマーから成る）で被覆された、ヒトのケラチン物質基体またはヒトのケラチン物質代替物に関する。
【００１５】
本発明の主題はまた、生理学的に許容される媒質中に共溶媒（Sc）中に溶解されたｎ種のポリマー（P1、P2、…Pn）（n≧2）を含む化粧品組成物を、ヒトのケラチン物質基体に適用し、その後共溶媒（Sc）を除去した後に、それぞれP1、P2、…Pnから選択される単一のポリマーからなる別個の領域を形成するための前記化粧品組成物の使用である。
【００１６】
本発明はまた、ヒトのケラチン物質、とりわけ髪への、
（ａ）生理学的に許容される媒質中に、共溶媒（Sc）中に溶解されたｎ種のポリマー（P1、P2、…Pn）（10≧n≧2）を含む化粧品組成物であって、前記ポリマー（P1、P2、…Pn）及び共溶媒（Sc）は、室温及び環境圧にて液体であり、また該化粧品組成物をヒトのケラチン物質基体に適用し、その後に共溶媒（Sc）を除去した後に、それぞれがP1、P2、…Pnから選択される単一のポリマーからなる別個の領域を形成するように選択される、第一化粧品組成物（i）の適用、
（ｂ）ヒトのケラチン物質基体に適用されたポリマー（P1、P2、…Pn）のn-1種までを溶解可能であり、前記基体は溶解不可能である、少なくとも１つの選択的溶媒（Ss）を含む、第二化粧品組成物（ii）の適用、
（ｃ）少なくとも１つのポリマー(Pth)を含む第三化粧品組成物（iii）の、（ａ）または（ｂ）または（ｄ）の前または後の任意の適用、
（ｄ）ヒトのケラチン物質基体のリシェイプ、染色、メイクアップ、メイクアップ除去、保護、クレンジング、または洗浄のための付加的化粧品組成物の、（ａ）または（ｂ）の前または後の任意の適用、
を含み、
前記（ａ）、（ｂ）、（ｃ）、または（ｄ）の各工程の後に、任意に濯ぎを行う、美容方法に関する。
有利には、前記ヒトのケラチン物質基体は髪である。
【００１７】
好ましくは、ｎが５以下になるように、幾つかのポリマーが使用される。
【００１８】
さらにより好ましくは、前記共溶媒（Sc）が、水、C2-C6アルコール、C2-C6アルカンジオール、ベンジルアルコール、C2-C6エーテル、C2-C6エステル、N-(C1-C4）アルキルピロリドン、及びC2-C6ケトン、更にまたこれら溶媒の混合物から選択される。
【００１９】
選択的溶媒（Ss）は、一般的に、穴に基づく構成化レリーフ、または柱状物に基づく構成化レリーフを構成して良い。
【００２０】
有利には、前記ポリマー（P1、P2、…Pn）のそれぞれが、１kDa乃至１０００kDaの範囲の数平均分子量を有し、前記ポリマー（P1、P2、…Pn）のそれぞれが、０℃以上のガラス転移温度（Tg）を有する。
【００２１】
前記ガラス転移温度は、無定形の物質がガラス状固体状態からゴム状状態に変化する温度に該当する。この温度は、「ＤＴＡ」法として既知の示差熱分析によって、または示差走査熱量測定の略である、「ＤＳＣ」法として既知の示差熱量測定によって測定して良い。特に、ガラス転移温度は、ASTM標準D3418-97に従い、示差熱量測定「ＤＳＣ」によって測定して良い。
【００２２】
前記ポリマー（P1、P2、…Pn）は、有利には、ポリスチレン、ポリスチレンスルホン酸、C1-C10ポリアルキルメタクリレート、C1-C10ポリアルキルアクリレート、C1-C10アルキルアミン、ポリアルキレンアミン、ポリビニルアミン、ポリビニルピリジン、ポリリシン、C1-C10ヒドロキシアルキルセルロース、C1-C10ヒドロキシアルキルグアー、C1-C10ヒドロキシアルキルトリアンモニウムグアークロライド、C1-C10トリメチルアンモニウムヒドロキシアルキルセルロース、C1-C10ポリアルキレンオキサイド、ポリサッカライド、ポリアクリル酸、ポリアクリルアミド、ポリ（メタ）アクリルアミド、ポリビニルアルコール、ポリビニルアセテート、ポリビニルピロリドン、C1-C10ポリアルキレンイミン、C1-C10ポリアクリルアミドアルキルスルホン酸類、ポリウレタン、ポリエステル、及びポリリン酸から選択される。
【００２３】
前記化粧品組成物中の各ポリマー（P1、P2、…Pn）の相対重量は、0.01乃至50%、好ましくは0.1乃至25%、更に好ましくは0.2乃至10%の範囲である。
【００２４】
有利には、本発明による組成物は、ｎ種の（P1、P2、…Pn）を含み、該化粧品組成物の全重量に対する該ポリマーそれぞれの重量比が0.01乃至100、好ましくは0.02乃至50、更に好ましくは0.05乃至20である。
【００２５】
本発明による組成物は、有利には二種のポリマー（P1、P2）を含み、該二種のポリマー間の重量比は0.01乃至100、好ましくは0.02乃至50、更に好ましくは0.05乃至20である。
【００２６】
前記ポリマー（P1、P2、…Pn）は、有利には、ポリスチレン／C1-C10ポリアルキルメタクリレート、C1-C10トリメチルアンモニウムヒドロキシアルキルセルロース／C1-C10ポリアルキレンイミン、及びC1-C10ヒドロキシアルキルセルロース／C1-C10トリメチルアンモニウムヒドロキシアルキルセルロースの対を含む。
【００２７】
本発明により使用される組成物の調製のためには、例えば光レーザ法（optical laser-structuring methods）、ポリマーマトリックス上での機械プレス法、及び物理化学的方法、例えば多層金属溶射またはポリマー分離（demixing）等の幾つかの方法が想定される。本発明の好ましい実施態様の一つによれば、ポリマー分離が使用される。
【００２８】
本発明によるキットは、有利には、（iii）少なくとも１つのポリマー(Pth)を含む第三化粧品組成物を更に含む。(Pth)は、ケラチン繊維のための前処理ポリマーであり、これは例えば、本発明による方法において使用される組成物の付着性を改善する、またはケラチン繊維の表面をより滑らかにもしくはより付着しやすくする役割を果たしうる。
【００２９】
このポリマーは、前記繊維の表面を「一様に」し、然るに髪の表面の自然な変化を回避し、前記構成物をいっそう容易に製造するという役割を果たす。これは、共溶媒（Sc）中に不溶であり、且つ選択溶媒（Ss）中にも不溶であることを前提として、また、これが引き続き適用されるポリマー（P1、P2、…Pn）に対して化学的に不活性であることを前提として、如何なるポリマーであっても良い。「化学的に不活性」なる語は、当該ポリマー間において共有結合が形成も破壊もされないことを意味する。挙げることのできる前処理ポリマーの例には、ポリアミン、例えばポリアルキレンイミン、ポリアリルアミン、ポリアミノ酸、ポリサッカライド、またはポリアクリレートが含まれ、好ましくはポリエチレンイミンまたはポリリシンである。
【００３０】
好ましくは、本発明によるキットは、ヒトのケラチン物質基体をリシェイプ、染色、メイクアップ、メイクアップ除去、保護、クレンジング、または洗浄するのための付加的組成物を更に含む。
【００３１】
前記キットの組成物（i）中において、前記共溶媒（Sc）は、有利には水、C2-C6アルコール、C2-C6アルカンジオール、ベンジルアルコール、C2-C6エーテル、C2-C6エステル、N-(C1-C4）アルキルピロリドン、及びC2-C6ケトン、更にまたこれら溶媒の混合物から選択される。
【００３２】
好ましくは、キットの組成物（i）中において、前記ポリマー（P1、P2、…Pn）のそれぞれが、１kDa乃至１０００kDaの範囲の数平均分子量を有し、有利には、前記ポリマー（P1、P2、…Pn）は、ポリスチレン、ポリスチレンスルホン酸、C1-C10ポリアルキルメタクリレート、C1-C10ポリアルキルアクリレート、C1-C10アルキルアミン、ポリアルキレンアミン、ポリビニルアミン、ポリビニルピリジン、ポリリシン、C1-C10ヒドロキシアルキルセルロース、C1-C10ヒドロキシアルキルグアー、C1-C10ヒドロキシアルキルトリアンモニウムグアークロライド、C1-C10トリメチルアンモニウムヒドロキシアルキルセルロース、C1-C10ポリアルキレンオキサイド、ポリサッカライド、ポリアクリル酸、ポリアクリルアミド、ポリ（メタ）アクリルアミド、ポリビニルアルコール、ポリビニルアセテート、ポリビニルピロリドン、C1-C10ポリアルキレンイミン、C1-C10ポリアクリルアミドアルキルスルホン酸類、ポリウレタン、ポリエステル、及びポリリン酸から選択される。
【００３３】
有利には、前記キット中における化粧品組成物（i）中の各ポリマー（P1、P2、…Pn）の相対重量は、0.01乃至50%、好ましくは0.1乃至25%、更に好ましくは0.2乃至10%の範囲である。
【００３４】
前記キットの有利な実施態様の一つによれば、前記第一組成物（i）は、ｎ種の（P1、P2、…Pn）を含み、前記化粧品組成物の全重量に対する該ポリマーそれぞれの重量比は0.01乃至100、好ましくは0.02乃至50、更に好ましくは0.05乃至20である。
【００３５】
前記キットの更に有利な実施態様の一つによれば、前記ポリマー（P1、P2、…Pn）は、ポリスチレン／C1-C10ポリアルキルメタクリレート、C1-C10トリメチルアンモニウムヒドロキシアルキルセルロース／C1-C10ポリアルキレンイミン、及びC1-C10ヒドロキシアルキルセルロース／C1-C10トリメチルアンモニウムヒドロキシアルキルセルロースの対を含む。
【００３６】
有利には、本発明による基体は、マトリックス及びレリーフを有し、これらはそれぞれ個別にポリスチレン、ポリスチレンスルホン酸、C1-C10ポリアルキルメタクリレート、C1-C10ポリアルキルアクリレート、C1-C10アルキルアミン、ポリアルキレンアミン、ポリビニルアミン、ポリビニルピリジン、ポリリシン、C1-C10ヒドロキシアルキルセルロース、C1-C10ヒドロキシアルキルグアー、C1-C10ヒドロキシアルキルトリアンモニウムグアークロライド、C1-C10トリメチルアンモニウムヒドロキシアルキルセルロース、C1-C10ポリアルキレンオキサイド、ポリサッカライド、ポリアクリル酸、ポリアクリルアミド、ポリ（メタ）アクリルアミド、ポリビニルアルコール、ポリビニルアセテート、ポリビニルピロリドン、C1-C10ポリアルキレンイミン、C1-C10ポリアクリルアミドアルキルスルホン酸類、ポリウレタン、ポリエステル、及びポリリン酸から選択される少なくとも１つのポリマーを含む。
【００３７】
有利には、本発明の基体に関しては、これは爪、睫、髪またはこれらの代替物であって、これら代替物は好ましくは付け爪、鬘、付け毛、または付け睫から選択される。
【００３８】
基体上では、前記レリーフは、有利にはランダムに分布したまたは整列したパターンを含み、これらパターンは、有利には、筋状、柱状、または溝状である。
【００３９】
本発明はまた、ポリスチレン／C1-C10ポリアルキルメタクリレート、C1-C10トリメチルアンモニウムヒドロキシアルキルセルロース／C1-C10ポリアルキレンイミン、及びC1-C10ヒドロキシアルキルセルロース／C1-C10トリメチルアンモニウムヒドロキシアルキルセルロースの組合せから選択される、ポリマーP1とP2との対を含む組成物にも関する。
【００４０】
本発明の化粧品組成物は、ケラチン繊維、とりわけ髪または睫のためのメイクアップまたはケア製品として使用して良い。髪用としては、シャンプー、濯ぎ落とすかもしくは濯ぎ落とさないコンディショナー、パーマネントウェーブ、リラックス、滑化、染色、または漂白用組成物等の化粧品、あるいはまた、髪の染色、漂白、パーマネントウェーブ、もしくはリラックスの前または後に適用される組成物を挙げて良い。スタイリング製品、ヘアスプレー及び、髪の非永久的な成形またはコンディショニングのためのあらゆる製品を更に挙げて良い。睫用には、マスカラ及び睫を長くする製品もまた挙げて良い。
【００４１】
本発明の化粧品組成物は、皮膚、唇、または爪用のメイクアップ及び／またはケア用製品として使用して良い。ボディクリーム、ファンデーション、色つきフェイシャルクリーム、またはリップスティック等の製品を挙げて良い。前記ケア用製品は、顔及び／または全身の皮膚をクレンジングするための、濯ぎ落とすかまたは濯ぎ落とさない製品であってよい。これはまた、例えばメイクアップ製品自体よりも前に適用するためのモイスチャライジングケア製品またはメイクアップの延び広がりまたは付着を促進する製品等の、ベースメイクアップまたはケア用製品であって良い。
【００４２】
本発明による化粧品組成物は、可溶化、分散、もしくはミクロ分散形態のシリコーン、非イオン性、アニオン性、カチオン性、及び両性界面活性剤、セラミド、グリコセラミド、及びシュードセラミド、ビタミン及びプロビタミン（パンテノールを含む）、植物、動物、鉱物、及び合成のオイル、セラミド、グリコセラミド及びシュードセラミド以外のワックス、水溶性及び油溶性、シリコーンベース、もしくは非シリコーンベースのサンスクリーン、無機及び有機の、有色若しくは無色の顔料、化粧品として許容される媒質中に可溶性の染料、真珠光沢剤及び乳白剤、金属イオン封鎖剤、可塑剤、可溶化剤、酸性化剤、塩基性化剤、無機および有機の増粘剤、抗酸化剤、ヒドロキシ酸、浸透剤、香料、及び保存料から選択される、少なくとも１つのアジュバントを更に含んで良い。
【００４３】
言うまでもないが、当業者であればこうした付加的な化合物及び／またはその量を、行おうとするその添加によって、本発明による組成物の有利な特性が実質的に損なわれることのないように注意深く選択するであろう。
【００４４】
本発明による各組成物は、当業者の技術常識に基づき、且つ最先端の技術により、当業者によって調製できる。
【００４５】
本発明によるキットにおいて、前記組成物は、任意に適当な適用手段を備えた、別々の区画、容器、もしくは装置に実装可能であり、前記適用手段は同一でも相違しても良く、例えば細かいブラシ、粗いブラシ、またはスポンジであって良い。
【００４６】
本発明を、以下の実施例により詳細に説明する。
【実施例】
【００４７】
ポリスチレンとポリメチルメタクリレートは、１０００００の分子量を有する。
（実施例１：組成物）
組成：
ポリスチレン                                              2g
ポリメチルメタクリレート                                  1g
トルエン                                           100gとする残量
【００４８】
この場合の共溶媒Scは、トルエンである。
該組成物を、付け毛に適用し、その後乾燥させる。
その後該付け毛を、この場合にはシクロヘキサン（ポリスチレンのみを溶解可能）である選択溶媒Ssで処理する。
【００４９】
AFMによる観察により、髪がナノサイズの構成物（柱状）で被覆されることが判明する。
【００５０】
（実施例２：組成物）
組成：
ポリスチレン                                              2g
ポリメチルメタクリレート                                  1g
トルエン                                           100gとする残量
【００５１】
この場合の共溶媒Scは、トルエンである。
該組成物を、付け毛に適用し、その後乾燥させる。
その後該付け毛を、この場合には酢酸（ポリメチルメタクリレートのみを溶解可能）である選択溶媒Ssで処理する。
【００５２】
AFMによる観察により、髪がナノサイズの構成物（中空）で被覆されることが判明する。
【００５３】
（実施例３）
組成物１：
Pth ：ポリエチレンイミン、Lupasol P(登録商標)、BASF社製        10g
水                                                      全体を100gとする量
組成物２：
ポリスチレン                                                  2g
ポリメチルメタクリレート                                      1g
トルエン                                               全体を100gとする量
【００５４】
この場合の共溶媒Scは、トルエンである。
組成物１を付け毛に適用し、その後乾燥させる。
組成物２を付け毛に適用し、その後乾燥させる。
その後該付け毛を、この場合にはシクロヘキサン（ポリスチレンのみを溶解可能）である選択溶媒Ssで処理する。
AFMによる観察により、髪がナノサイズの構成物（柱状）で被覆されることが判明する。
【外国語明細書】
2005162753.tif 000002
2005162753.tif 000003
2005162753.tif 000004
2005162753.tif 000005
2005162753.tif 000006
2005162753.tif 000007
2005162753.tif 000008
2005162753.tif 000009
2005162753.tif 000010
2005162753.tif 000011
2005162753.tif 000012
2005162753.tif 000013
2005162753.tif 000014
2005162753.tif 000015
2005162753.tif 000016
2005162753.tif 000017
2005162753.tif 000018
2005162753.tif 000019
2005162753.tif 000020
2005162753.tif 000021
2005162753.tif 000022
2005162753.tif 000023
2005162753.tif 000024
2005162753.tif 000025
2005162753.tif 000026
2005162753.tif 000027
2005162753.tif 000028